(57)【要約】      （修正有）【課題】テレコミュニケーション装置とテレコミュニケーションネットワークとの間でマルチメディアメッセージングサービスを制御するための簡単かつ効率的な方法を提供する。【解決手段】テレコミュニケーション装置（ＭＥ）とテレコミュニケーションネットワーク（ＮＥＴ）との間においてマルチメディアメッセージサービス（ＭＭＳ）を制御するため、該テレコミュニケーション装置（ＭＥ）への各マルチメディアメッセージのデータ伝送（ＤＯ）および／または伝送コマンド（ＳＭ）、および該テレコミュニケーション装置（ＭＥ）からの各マルチメディアメッセージのデータ伝送（ＤＯ）および／または伝送コマンド（ＳＭ）は、該テレコミュニケーション装置（ＭＥ）に結合されたスマートカード（ＳＣ）によって制御される。【選択図】  図３
2004192613.tif 000002
【特許請求の範囲】
【請求項１】
少なくとも１つのスマートカード（ＳＣ）と、テレコミュニケーション装置（ＭＥ）と、テレコミュニケーションネットワーク（ＮＥＴ）との間でマルチメディアメッセージングサービス（ＭＭＳ）を制御するための方法において、
該テレコミュニケーション装置への各マルチメディアメッセージ（ＭＭ）のデータ伝送（ＤＯ）および／またはコマンド（ＳＭ）、および該テレコミュニケーション装置からの各マルチメディアメッセージ（ＭＭ）のデータ伝送（ＤＯ）および／またはコマンド（ＳＭ）を、該テレコミュニケーション装置（ＭＥ）に結合された前記スマートカード（ＳＣ）によって制御することを特徴とする方法。
【請求項２】
コマンド（ＳＭ）をスマートカード（ＳＣ）とテレコミュニケーション装置（ＭＥ）との間で交換して、完全なマルチメディアメッセージ（ＭＭ）、完全なマルチメディアメッセージ（ＭＭ）の少なくとも一部、マルチメディアメッセージング通知またはマルチメディアメッセージング関連の情報の他のすべての種類、または完全なマルチメディアメッセージの少なくとも一部またはすべてに対する少なくとも１つのリファレンスを処理する、請求項１記載の方法。
【請求項３】
該制御を、スマートカード（ＳＣ）に存在するＣＡＴ（card application toolkit）、ＳＡＴ（SIM application toolkit）またはＵＳＡＴ（USIM application toolkit）によって実行する、請求項１または２記載の方法。
【請求項４】
コマンドをスマートカード（ＳＣ）からテレコミュニケーション装置（ＭＥ）へ交換することにより、該スマートカード（ＳＣ）は該テレコミュニケーション装置（ＭＥ）に対し、マルチメディアメッセージングサービス機能を供給することを要求する、請求項１から３までのいずれか１項記載の方法。
【請求項５】
コマンドのフローには、マルチメディアメッセージ（ＭＭ）を送信するために、少なくとも１つのcomposition and send requestコマンド（ＳＭ）をスマートカード（ＳＣ）からテレコミュニケーション装置（ＭＥ）へ伝送することが含まれており、前記伝送によって、マルチメディアメッセージ（ＭＭ）の作成および送信を該テレコミュニケーション装置（ＭＥ）によって開始する、請求項１から４までのいずれか１項記載の方法。
【請求項６】
前記composition and send requestコマンド（ＳＭ）の受信に基づき、前記composition and send requestコマンド（ＳＭ）に含まれる情報に基づいて、マルチメディアメッセージ（ＭＭ）をユーザエージェントによってテレコミュニケーション装置（ＭＥ）で作成し、その後テレコミュニケーションネットワーク（ＮＥＴ）へ送信する、請求項５記載の方法。
【請求項７】
前記composition and send requestコマンド（ＳＭ）は、
・コマンド詳細
・装置エンティティ
・連結性パラメータ
・ＭＭ内容
・ヘッダフィールド
・ＳＡＴ（ＵＳＡＴ）アプリケーションサーバアドレス
のうち少なくとも１つの情報を含む、請求項５または６記載の方法。
【請求項８】
コマンドのフローには、マルチメディアメッセージ（ＭＭ）を取得するため、少なくとも１つのget multimedia messageコマンド（ＧＯＫ）を伝送することが含まれており、
get multimedia messageコマンド（ＧＯＫ）をスマートカード（ＳＣ）によってテレコミュニケーション装置（ＭＥ）へ送出することにより、マルチメディアメッセージ（ＭＭ）をテレコミュニケーションネットワーク（ＮＥＴ）からスマートカード（ＳＣ）へ取得する、請求項１から７までのいずれか１項記載の方法。
【請求項９】
前記get multimedia messageコマンド（ＧＯＫ）の受信に基づき、前記get multimedia messageコマンド（ＧＯＫ）に含まれる情報に基づいて、マルチメディアメッセージ（ＭＭ）をテレコミュニケーション装置（ＭＥ）にあるユーザエージェントによって取得する、請求項８記載の方法。
【請求項１０】
前記get multimedia messageコマンド（ＧＯＫ）は、
・コマンド詳細
・装置エンティティ
のうち少なくとも１つの情報を含む、請求項８または９記載の方法。
【請求項１１】
コマンドのフローには、マルチメディアメッセージ付属物を取得するため、少なくとも１つのget multimedia message attachmentコマンド（ＧＡＲ）を伝送することが含まれており、
前記get multimedia message attachmentコマンド（ＧＡＲ）をスマートカード（ＳＣ）によってテレコミュニケーション装置（ＭＥ）へ送出することにより、マルチメディアメッセージ（ＭＭ）の付属物をテレコミュニケーションネットワーク（ＮＥＴ）からスマートカード（ＳＣ）へ取得する、請求項１から１０までのいずれか１項記載の方法。
【請求項１２】
前記get multimedia message attachmentコマンド（ＧＡＲ）の受信に基づき、前記get multimedia message attachmentコマンド（ＧＡＲ）に含まれる情報に基づいて、マルチメディアメッセージ付属物をテレコミュニケーション装置（ＭＥ）にあるユーザエージェントによって取得する、請求項１１記載の方法。
【請求項１３】
前記get multimedia message attachmentコマンド（ＧＡＲ）は、
・コマンド詳細
・装置エンティティ
・ＭＭ内容ＩＤ
のうち少なくとも１つの情報を含む、請求項１１または１２記載の方法。
【請求項１４】
コマンドのフローには、マルチメディアメッセージ（ＭＭ）をテレコミュニケーション装置（ＭＥ）に記憶することを要求するため、少なくとも１つのmultimedia message terminal storage requestコマンド（ＴＳ）をスマートカード（ＳＣ）によってテレコミュニケーション装置（ＭＥ）へ送出することが含まれており、前記送出によって、マルチメディアメッセージ（ＭＭ）をテレコミュニケーション装置（ＭＥ）によって該端末に記憶することを開始する、請求項１から１３までのいずれか１項記載の方法。
【請求項１５】
前記multimedia message terminal storage requestコマンド（ＴＳ）の受信に基づき、前記multimedia message terminal storage requestコマンド（ＴＳ）に含まれる情報に基づいて、テレコミュニケーション装置（ＭＥ）へのマルチメディアメッセージの記憶を、該テレコミュニケーション装置（ＭＥ）にあるユーザエージェントによって処理する、請求項１４記載の方法。
【請求項１６】
前記multimedia message terminal storage requestコマンド（ＴＳ）は、
・コマンド詳細
・装置エンティティ
・ＭＭ付属物記憶
・ＭＭ付属物へのリンク要求
のうち少なくとも１つの情報を含む、請求項１４または１５記載の方法。
【請求項１７】
コマンドのフローには、マルチメディアメッセージ（ＭＭ）を表示するため、少なくとも１つのdisplay multimedia message requestコマンド（ＤＩ）をスマートカード（ＳＣ）によってテレコミュニケーション装置（ＭＥ）へ伝送することが含まれており、前記伝送によって、マルチメディアメッセージ（ＭＭ）を該テレコミュニケーション装置のディスプレイ上に該テレコミュニケーション装置（ＭＥ）によって表示することを開始する、請求項１から１６までのいずれか１項記載の方法。
【請求項１８】
前記display multimedia message requestコマンド（ＤＩ）の受信に基づき、前記display multimedia message requestコマンド（ＤＩ）に含まれる情報に基づいて、テレコミュニケーション装置（ＭＥ）にあるユーザエージェントによってマルチメディアメッセージ（ＭＭ）をテレコミュニケーション装置のディスプレイ上に表示する、請求項１７記載の方法。
【請求項１９】
前記display multimedia message requestコマンド（ＤＩ）は、
・コマンド詳細
・装置エンティティ
・ＭＭ
のうち少なくとも１つの情報を含む、請求項１７または１８記載の方法。
【請求項２０】
コマンドのフローには、マルチメディアメッセージ付属物を表示するため、少なくとも１つのdisplay multimedia message attachment requestコマンド（ＤＩＡ）をスマートカード（ＳＣ）によってテレコミュニケーション装置（ＭＥ）へ伝送することが含まれており、前記伝送によって、マルチメディアメッセージ付属物またはマルチメディアメッセージ（ＭＭ）の１つまたは複数の部分をテレコミュニケーション装置のディスプレイ上に、該テレコミュニケーション装置（ＭＥ）によって表示することを開始する、請求項１から１９までのいずれか１項記載の方法。
【請求項２１】
前記display multimedia message attachment requestコマンド（ＤＩＡ）の受信に基づき、前記display multimedia message attachment requestコマンド（ＤＩＡ）に含まれる情報に基づいて、テレコミュニケーション装置（ＭＥ）にあるユーザエージェントによってマルチメディアメッセージ付属物を該テレコミュニケーション装置のディスプレイ上に表示する、請求項２０記載の方法。
【請求項２２】
前記display multimedia message attachment requestコマンド（ＤＩＡ）は、
・コマンド詳細
・装置エンティティ
・ＭＭ内容タイプ
・ＭＭＳ付属物
のうち少なくとも１つの情報を含む、請求項２０または２１記載の方法。
【請求項２３】
コマンドのフローには、マルチメディアメッセージング情報をディスプレイするため、少なくとも１つの汎用的なdisplay multimedia message service情報（ＤＩＩ）をスマートカード（ＳＣ）によってテレコミュニケーション装置（ＭＥ）へ伝送することが含まれており、前記伝送によって、マルチメディアメッセージサービス情報のすべての種類をテレコミュニケーション装置のディスプレイ上に、該テレコミュニケーション装置（ＭＥ）によって表示することを開始し、
前記マルチメディアメッセージサービス情報の種類はたとえば、マルチメディアメッセージまたはマルチメディアメッセージ付属物である、請求項１７から２２までのいずれか１項記載の方法。
【請求項２４】
前記display multimedia message service情報（ＤＩＩ）の受信に基づき、前記display multimedia message service情報（ＤＩＩ）に含まれる情報に基づいて、テレコミュニケーション装置（ＭＥ）にあるユーザエージェントによってマルチメディアメッセージ付属物を該テレコミュニケーション装置のディスプレイ上に表示する、請求項２３記載の方法。
【請求項２５】
display multimedia message serviceコマンド（ＤＩＡ）は、
・コマンド詳細
・装置エンティティ
・ＭＭＳディスプレイ識別子
・ＭＭ（マルチメディアメッセージ）
・ＭＭ内容タイプ
・ＭＭＳ付属物
のうち少なくとも１つの情報を含む、請求項２３または２４記載の方法。
【請求項２６】
コマンドをテレコミュニケーション装置（ＭＥ）からスマートカード（ＳＣ）へ交換することにより、マルチメディアメッセージサービス関連の情報を該スマートカード（ＳＣ）から該テレコミュニケーション装置（ＭＥ）へ伝送する、請求項１から２５までのいずれか１項記載の方法。
【請求項２７】
コマンドのフローは、マルチメディアメッセージ（ＭＭ）を取得するため、少なくとも１つのdownload MMコマンド（ＤＯ）を含んでおり、
該download MMコマンド（ＤＯ）を使用して、マルチメディアメッセージ（ＭＭ）をテレコミュニケーション装置（ＭＥ）からスマートカード（ＳＣ）へ伝送する、請求項２６記載の方法。
【請求項２８】
受信されたマルチメディアメッセージ（ＭＲ）および／またはマルチメディアメッセージ通知（ＭＮ）内に識別子が存在し、スマートカード（ＳＣ）とテレコミュニケーション装置（ＭＥ）との間においてスマートカード制御のＭＭＳインタラクションを指示する場合、前記download MMコマンド（ＤＯ）をテレコミュニケーション装置（ＭＥ）によって形成する、請求項２７記載の方法。
【請求項２９】
前記download MMコマンド（ＤＯ）は、
・コマンド詳細
・装置エンティティ
・連結性パラメータ
・ＭＭ内容
・ヘッダフィールド
・ＳＡＴ（ＵＳＡＴ）アプリケーションサーバアドレス
のうち少なくとも１つの情報を含む、請求項２７または２８記載の方法。
【請求項３０】
コマンドのフローには、マルチメディアメッセージ（ＭＭ）を取得するため、
ａ）download MMS notificationコマンド（ＤＯＮ）をテレコミュニケーション装置（ＭＥ）からスマートカード（ＳＣ）へ伝送し、テレコミュニケーションネットワーク（ＮＥＴ）に由来する、該テレコミュニケーション装置（ＭＥ）のマルチメディアメッセージ通知（ＭＮ）の受信に基づき、マルチメディアメッセージ通知（ＭＮ）を該テレコミュニケーション装置（ＭＥ）からスマートカード（ＳＣ）へダウンロードするステップと、
ｂ）該download MMS notificationコマンド（ＤＯＮ）に含まれる情報を該スマートカード（ＳＣ）によって評価するステップとを有する、請求項１から２９までのいずれか１項記載の方法。
【請求項３１】
受信されたマルチメディアメッセージ通知（ＭＮ）内に識別子が存在し、スマートカード（ＳＣ）とテレコミュニケーション装置（ＭＥ）との間でスマートカード制御のＭＭＳインタラクションを指示する場合、前記download MMS notificationコマンド（ＤＯＮ）をテレコミュニケーション装置（ＭＥ）によって形成する、請求項３０記載の方法。
【請求項３２】
前記download MMS notificationコマンド（ＤＯＮ）は、
・コマンド詳細
・装置エンティティ
・ＭＭＳ通知
のうち少なくとも１つの情報を含む、請求項３０または３１記載の方法。
【請求項３３】
伝送コマンドのフローには、マルチメディアメッセージ（ＭＭ）を取得するため、download MMS attachmentコマンド（ＤＯＡ）が含まれており、
前記download MMS attachmentコマンド（ＤＯＡ）をテレコミュニケーション装置（ＭＥ）によってスマートカード（ＳＣ）へ送出することにより、マルチメディアメッセージ（ＭＭ）の付属物を該テレコミュニケーション装置（ＭＥ）から該スマートカード（ＳＣ）へ伝送する、請求項１から３２までのいずれか１項記載の方法。
【請求項３４】
受信されたマルチメディアメッセージ（ＭＲ）またはマルチメディアメッセージ通知（ＭＮ）内に識別子が存在し、スマートカード（ＳＣ）とテレコミュニケーション装置（ＭＥ）との間でスマートカード制御のＭＭＳインタラクションを指示する場合、download MM attachmentコマンド（ＤＯＡ）をテレコミュニケーション装置（ＭＥ）によって形成する、請求項３３記載の方法。
【請求項３５】
前記download MM attachmentコマンド（ＤＯＡ）は、
・コマンド詳細
・装置エンティティ
・ＭＭ内容ＩＤ
・ＭＭ内容タイプ
・付属物へのリンク
・ＭＭＳ付属物
のうち少なくとも１つの情報を含む、請求項３３または３４記載の方法。
【請求項３６】
マルチメディアメッセージ（ＭＭ）の付属物を、テレコミュニケーション装置（ＭＥ）および／またはスマートカード（ＳＣ）に記憶する、請求項３３から３５までのいずれか１項記載の方法。
【請求項３７】
コマンドのフローには、マルチメディアメッセージ（ＭＭ）を取得するため、少なくとも１つのdownload MMS linkコマンド（ＤＭＬ）が含まれており、
前記download MMS linkコマンド（ＤＭＬ）を使用して、リファレンスをテレコミュニケーション装置（ＭＥ）からスマートカード（ＳＣ）へ伝送し、
前記リファレンスは、完全なマルチメディアメッセージ（ＭＭ）、完全なマルチメディアメッセージ（ＭＭ）の少なくとも一部またはマルチメディアメッセージ（ＭＭ）の少なくとも１つの付属物に対するリファレンスである、請求項１から３６までのいずれか１項記載の方法。
【請求項３８】
受信されたマルチメディアメッセージ（ＭＲ）および／またはマルチメディアメッセージ通知（ＭＮ）内に識別子が存在し、スマートカード（ＳＣ）とテレコミュニケーション装置（ＭＥ）との間でスマートカード制御のＭＭＳインタラクションを指示する場合、前記download MMS linkコマンド（ＤＭＬ）をテレコミュニケーション装置（ＭＥ）によって形成する、請求項３７記載の方法。
【請求項３９】
前記download MMS linkコマンド（ＤＭＬ）は、
・コマンド詳細
・装置エンティティ
・付属物へのリンク
のうち少なくとも１つの情報を含む、請求項３７または３８記載の方法。
【請求項４０】
コマンドのフローには、マルチメディアメッセージング情報をダウンロードするため、少なくとも１つの汎用的なdownload multimedia message service情報（ＤＯＩ）をテレコミュニケーション装置（ＭＥ）によってスマートカード（ＳＣ）へ伝送することが含まれており、前記伝送によって、マルチメディアメッセージサービス情報のすべての種類をダウンロードし、
前記マルチメディアメッセージサービス情報はたとえば、マルチメディアメッセージ、マルチメディアメッセージング通知、マルチメディアメッセージング通知、マルチメディアメッセージ付属物および／またはマルチメディアメッセージングリンクである、請求項１から３９までのいずれか１項記載の方法。
【請求項４１】
display multimedia message service情報（ＤＩＩ）の受信に基づき、該display multimedia message service情報（ＤＩＩ）に含まれる情報に基づいて、該download multimedia message service情報（ＤＯＩ）をテレコミュニケーション装置（ＭＥ）によってダウンロードする、請求項４０記載の方法。
【請求項４２】
コマンドのフローには、マルチメディアメッセージ（ＭＭ）を取得するため、少なくとも１つのUICC MM notificationコマンド（ＵＭＮ）が含まれており、
前記UICC MM notificationコマンド（ＵＭＮ）をテレコミュニケーション装置（ＭＥ）からスマートカード（ＳＣ）へ送出して、該スマートカード（ＳＣ）に対し、新たなマルチメディアメッセージ（ＭＭ）が該テレコミュニケーション装置（ＭＥ）に到着したことを通知する、請求項１から４１までのうちいずれか１項記載の方法。
【請求項４３】
受信されたマルチメディアメッセージ（ＭＲ）および／またはマルチメディアメッセージ通知（ＭＮ）内に識別子が存在し、スマートカード（ＳＣ）とテレコミュニケーション装置（ＭＥ）との間でスマートカード制御のＭＭＳインタラクションを指示する場合、前記UICC MM notificationコマンド（ＵＭＮ）をテレコミュニケーション装置（ＭＥ）によって形成する、請求項４２記載の方法。
【請求項４４】
前記UICC MM notificationコマンド（ＵＭＮ）は、
・コマンド詳細
・装置エンティティ
・ＭＭ内容ＩＤ
・ＭＭ内容タイプ
・ＭＭ内容サイズ
のうち少なくとも１つの情報を含む、請求項４２または４３記載の方法。
【請求項４５】
テレコミュニケーション装置（ＭＥ）とテレコミュニケーションネットワーク（ＮＥＴ）との間においてマルチメディアメッセージサービス（ＭＭＳ）を制御するためのスマートカード（ＳＣ）において、
該テレコミュニケーション装置への各マルチメディアメッセージのデータ伝送（ＤＯ）および／または伝送コマンド（ＳＭ）、および該テレコミュニケーション装置からの各マルチメディアメッセージのデータ伝送（ＤＯ）および／または伝送コマンド（ＳＭ）は、該テレコミュニケーション装置（ＭＥ）に結合された前記スマートカード（ＳＣ）によって制御され、
前記制御は、たとえば請求項１から４４までのいずれか１項にしたがって実行されることを特徴とするスマートカード（ＳＣ）。
【請求項４６】
テレコミュニケーション装置（ＳＣ）において、
請求項４５に記載されたスマートカードに結合されていることを特徴とする、テレコミュニケーション装置。
【発明の詳細な説明】
【技術分野】
【０００１】
本発明の課題は、テレコミュニケーション装置とテレコミュニケーションネットワークとの間でマルチメディアメッセージングサービスを制御するための方法を、簡単かつ効率的にネットワークオペレータに対して提供することである。
【０００２】
前記課題は、少なくとも１つのスマートカードと、テレコミュニケーション装置と、テレコミュニケーションネットワークとの間でマルチメディアメッセージングサービスを制御するための次のような方法によって解決される。すなわち、テレコミュニケーション装置への各マルチメディアメッセージングサービスのデータ伝送および／またはコマンド、およびテレコミュニケーション装置からの各マルチメディアメッセージングサービスのデータ伝送および／またはコマンドを、テレコミュニケーション装置に結合されている前記スマートカードによって制御する方法によって解決される。
【０００３】
したがってネットワークオペレータが、各マルチメディアメッセージ、各マルチメディアメッセージの１つまたは複数の部分または各マルチメディアメッセージの少なくとも一部またはすべてに対するリファレンスの処理を、効率的かつ簡単に制御することができるようになる。このような処理はたとえば、作成、変更、消去または他のすべての種類の操作である。
【０００４】
さらに本発明は、テレコミュニケーション装置とテレコミュニケーションネットワークとの間でマルチメディアメッセージングサービスを制御するためのスマートカードに関する。ここでは、テレコミュニケーション装置への各マルチメディアメッセージのデータ伝送および／または伝送コマンド、およびテレコミュニケーション装置からの各マルチメディアメッセージのデータ伝送および／または伝送コマンドは、該テレコミュニケーション装置に結合されているスマートカードによって制御され、とりわけ本発明の方法に従って制御される。
【０００５】
また本発明は、この種のスマートカードに結合されているテレコミュニケーション装置にも関する。
【０００６】
本発明および本発明の発展形態を以下で、添付された図面に関連して説明する。
【０００７】
同一の参照記号は、相応する部分および要素を図１〜１１にわたって示している。これらの図面では、マルチメディアメッセージングサービス（以下ではＭＭＳと省略されている）を制御するためにテレコミュニケーション装置とテレコミュニケーションネットワークとの間でスマートカードによって行われる本発明のコマンド伝送、および該コマンドに関連するデータ伝送は、太枠によって示されている。
【０００８】
ＧＳＭ（global system for mobile communications）およびＵＭＴＳ（universal telecommunication system）等のモバイルテレコミュニケーションシステム（たとえば図１では参照記号ＮＥＴによって示されている）では、各ネットワークごとに、オペレータはＳＡＴメカニズム（SIM Application Toolkit（SIM = Subscriber Identity Module））またはＵＳＡＴメカニズム（USIM Application Toolkit（USIM = UMTS Subscriber Identity Module））を使用して、ネットワークオペレータ固有アプリケーション（network operator-specific application）を定義することができる。このようなアプリケーションはＵＩＣＣ（universal IC card; IC: Integrated Circuit）／ＳＩＭカード上に存在し、移動電話の特定の機能を使用する。通常、前記ＵＩＣＣ／ＳＩＭカードはプラグインされているか、または結合されている。この詳細はとりわけ、仕様書3GPP TS 31.111, USIM Application Toolkit (Release 5)；3GPP TS 31.111, USIM Application Toolkit (Release 5)；3GPP TS 23.140, Multimedia Messaging Service (MMS), Functional Description, stage 2；3GPP TS 31.102, Characteristics of the USIM Application (Release 5)；およびW. Rankl, W. Effing, Smartcard Handbook, John Wiley & Sons, second edition, 2000に記載されている。
【０００９】
たとえばＧＳＭ（Global System for Mobile Communication）等の第２世代、および、たとえばＵＭＴＳ（Universal Mobile Telecommunication System）等の第３世代等のモバイルコミュニケーションサービスでは、移動電話機等のテレコミュニケーション装置の他に、明確に定義されたスマートカードが使用される。このスマートカードが移動電話機等のテレコミュニケーション装置にプラグインされると、ユーザは加入したモバイルコミュニケーションサービスを使用することができる。さらに、ユーザ選択、ユーザ設定およびユーザの個人情報を、このようなスマートカードに記憶することができる。ＧＳＭでは、このようなカードはＳＩＭ（subscriber identity module）と称される。ＵＭＴＳでは、ＵＩＣＣ（universal IC card; IC: Integrated Circuit）と称される物理的なカードと、該カードの論理的な機能ＵＳＩＭ（UMTS subscriber identity module）とは区別される。
【００１０】
ＣＡＴ（Card Application Toolkit）／ＳＡＴ（SIM Application Toolkit）／ＵＳＡＴ（USIM Application Toolkit）は、オペレータにＡＰＩ（Application Programming Interface）を提供するツールキットである。このＡＰＩによって、オペレータ固有のネットワークオペレータ固有アプリケーションを、ＳＩＭカードまたはＵＩＣＣカード上に取得することができる。その際には移動電話機の特性が考慮され、特定のオペレータ、スマートカード製造者および移動電話機製造者に依存しない。こうするためにＣＡＴ／ＳＡＴ／ＵＳＡＴは、ＳＩＭ／ＵＳＩＭ／ＵＩＣＣに記憶されたアプリケーションのために、標準化された実行環境を提供し、サポートするモバイル装置、とりわけテレコミュニケーション装置（以下ではＭＥと省略される）すなわち移動電話機の特定の機能を利用できるようにする。ＣＡＴ／ＳＡＴ／ＵＳＡＴでは、ＵＩＣＣ／ＵＳＩＭ／ＳＩＭに存在するアプリケーションが、指定されたメカニズムをサポートするどのＭＥとでもインタラクションして動作できるようにするメカニズムが提供されている。したがって、各製造者および各オペレータに依存せずに、ＵＩＣＣ／ＵＳＩＭ／ＳＩＭとＭＥとの間のインタオペラビリティが保証される。ＵＩＣＣ／ＳＩＭカードは通常、オペレータによって所有され、最も簡単にオペレータの要求に適応することができるので、ＵＩＣＣ／ＳＩＭカードはこのツールキットの物理的なベースである。このようなＵＳＡＴメカニズムの例は、ＳＡＴ（ＵＳＡＴ）プロアクティブコマンド（proactive command。しばしば、プロアクティブＵＩＣＣコマンドとも称される）、たとえばDISPLAY TEXT、GET INPUT、PLAY TONE、RECEIVE DATA、SEND DATA、SEND SHORT MESSAGE、SET UP CALL等である。これらのコマンドは、ＵＳＩＭ／ＵＩＣＣに存在するアプリケーションによって使用される。モバイル装置のみが、ＭＥ（モバイル装置）とＵＩＣＣ／ＳＩＭとの間の通信においてマスタの役割を果たすので、ＵＩＣＣ／ＳＩＭがコマンドをＭＥへ送出しようとすることをＵＩＣＣ／ＳＩＭが指示できるように、プロアクティブＳＡＴ（ＵＳＡＴ）コマンドは定義されている。すなわち、ＵＩＣＣはプロアクティブＳＡＴ（ＵＳＡＴ）コマンドを使用して、ＭＥへ指示を出す。ＭＥはこのような指示を受け取ると、どのアクションを行うべきかを把握する。
【００１１】
今日、ＧＳＭ（Global System for Mobile Communication）、ＳＭＳ（Short message Service）等のモバイルネットワークでは、モバイル端末間でショートメッセージが送受信される。最近では、新たなメッセージングサービス、いわゆるＭＭＳ（Multimedia Messaging Service）が標準化されている。ＳＭＳとは対照的にＭＭＳメッセージは、たとえばテキスト、静止画像、オーディオまたはビデオ等のマルチメディア要素を含むことができる。ＭＭＳは、２つのＭＭＳユーザエージェント間（または、ＭＭＳユーザエージェントとサードパーティ付加価値サービスプロバイダＶＡＳＰとの間）におけるピアツーピアのメッセージングサービスである。この２つのＭＭＳユーザエージェントは、双方ともＭＭＳリレー／サーバに接続されている。ＭＭＳユーザエージェントは、たとえばＵＭＴＳ‐ＵＥ（ＵＥはUser Equipment（ユーザ装置）の略）またはＧＳＭ‐ＭＳ（ＭＳはMobile Station（移動局）の略）等の移動電話機に存在するか、またはノートブック／ラップトップ等の外部装置に存在する。該外部装置は、移動電話機に結合されているかまたは接続されている。またはＭＭＳユーザエージェントは、移動電話機に接続も結合もされていないパソコンまたは他のテレコミュニケーション装置にも存在する。ユーザがマルチメディアメッセージ（以下ではＭＭと省略される）を閲覧、作成および処理できるようにするのは、各テレコミュニケーション装置におけるアプリケーション層機能である。ここでは、ＭＭの送受信も含まれる。ＭＭＳリレー／サーバ（図１では参照記号ＲＳによって示されている）は、受信メッセージおよび送信メッセージの記憶および処理、ならびに異なるメッセージングシステム間のメッセージ伝送を管轄するネットワークエンティティである。
【００１２】
要約するとマルチメディアメッセージングサービス（ＭＭＳ）は、異なる形式（たとえば静止画像、オーディオ、ビデオ）およびフォーマット（静止画像に関しては、たとえばＪＰＥＧまたはＧＩＦ）を有するマルチメディア要素を端末（とりわけ移動端末）間で、ネットワークコンポーネントを介して交換するか、または相互に直接交換することができる新たなメッセージングサービスである。
【００１３】
実施例１
本発明の第１の実施形態では、ＭＭＳをＳＡＴ（ＵＳＡＴ）に対するベアラサービスとして使用するための以下の実施例が議論される。図１では、ＵＩＣＣ（またはＳＩＭカード）はＳＡＴ（ＵＳＡＴ）アプリケーションを有し、スマートカードＳＣに設けられている。ＳＡＴ（ＵＳＡＴ）アプリケーションは起動されている。さらに、端末ＭＥにはＵＩＣＣ／ＳＩＭカードがプラグインされており、この端末がＭＭＳユーザエージェントを作動させる。すなわち、このＭＭＳ機能は端末に存在する。
【００１４】
実施例１ａ
オペレータＸは加入ユーザにＵＳＡＴアプリケーションを提供し、このＵＳＡＴアプリケーションにより、ユーザはＭＭＳを使用することによって、天気予報をマルチメディアコンテンツとして受信することができる。このことはたとえば、テキスト、静止画像、オーディオ、ビデオ等による天気予報のマルチメディアプレゼンテーションである。（典型的にはこのようなアプリケーションは、カード発行の時点で、スマートカードＳＣに予めインストールされている。）この一例は図１に示されている。
【００１５】
ユーザＹは、明日ドイツでは、とりわけ該ユーザが住んでいる町ベルリンではどのような天気になるのかを知りたい。それゆえ、ユーザＹは天気アプリケーションをテレコミュニケーション装置ＭＥで起動させ、天気アプリケーションメニューがテレコミュニケーション装置のディスプレイ上に、コマンドＤＭ（図１では連続番号１によって示されている）によって表示される。このテレコミュニケーション装置ＭＥは、とりわけ移動電話機である。その後このユーザＹは、移動電話機でコマンドＵＳ（図１では連続番号２によって示されている）により、ＵＳＡＴ天気予報のメニューからドイツ、ベルリンの天気予報のメニューを選択する。ＵＳＡＴはプロアクティブＵＩＣＣコマンドSEND MMをＭＥへ、コマンドＳＭ（図１では連続番号３によって示されている）によって送出する。このメッセージは、ＭＥがベルリン／ドイツの天気予報を得るためにＭＭをＵＳＡＴサーバへ送信するのに必要な情報を含む。この情報はたとえば、ヘッダ、付属物、付属物へのリンク、ＵＳＡＴアプリケーションサーバのアドレス等である。このSEND MMコマンドに含まれる情報により、ＭＭＳ ＵＡはＭＭを作成し、ＭＭＳリレー／サーバＲＳへコマンドＭＳ（図１では連続番号４によって示されている）によって送信する。ＭＭＳリレー／サーバＲＳは、このマルチメディアメッセージ（ＭＭと省略される）をＵＳＡＴサーバ（またはＶＡＳサーバ（VAS = value added server））ＵＳへ、コマンドＧＩ（図１では連続番号５によって示されている）により転送する。ＭＭＳリレー／サーバＲＳおよびＵＳＡＴサーバＵＳは、テレコミュニケーションネットワークＮＥＴのコンポーネントであり、このテレコミュニケーションネットワークＮＥＴは、図１では一点鎖線によって示されている。ＵＳＡＴサーバはＭＭを読み取り、ユーザがドイツのベルリンの天気予報を要求していることを把握する。ＵＳＡＴサーバはベルリンの最近の天気予報情報を収集し、ベルリンの天気予報に関するマルチメディア天気予報プレゼンテーションを含むＭＭを作成し、ＭＭＳリレー／サーバへコマンドＩＮ（図１では、連続番号６によって示されている）によって送信する。前記マルチメディア天気予報プレゼンテーションは、テキスト、静止画像、オーディオ、ビデオを含む。ＭＭＳリレー／サーバは、コマンドＭＮ（図１では連続番号７によって示されている）によって通知をＭＭＳ ＵＡへ送信する。ユーザは、天気予報を含む新規のＭＭについて通知される。ユーザはここで、ＭＭ取得をコマンドＧＭ（図１では連続番号８によって示されている）によって要求し、ＭＭ取得プロシージャがコマンドＭＲ（図１では連続番号９によって示されている）によって開始される。ＭＭ取得後、ユーザはベルリンの天気予報を移動電話機で見ることができる。
【００１６】
プロアクティブＵＩＣＣコマンド「SEND MM」を、以下で図２を使用してより詳細に説明する。
【００１７】
ＭＥとＵＩＣＣ／ＳＩＭとの間の通信では、ＭＥがマスタの役割を果たし、ＵＩＣＣ／ＳＩＭがスレーブの役割を果たす。しかし、有利にはＵＩＣＣ／ＳＩＭは、ＭＥがコマンドを取り込まなければならないことを指示できる（アプリケーションツールキットコマンドをＳＩＭカードからＭＥへ伝送できる）。このことは以下のようにして実現される。ＵＩＣＣ／ＳＩＭは、移動電話機とのすべての通信に対して状態語によって応答し、通信の結果が成功であるか否かを指示する。特別な状態語（「91 XX」）によりＵＩＣＣ／ＳＩＭは、ＵＩＣＣ／ＳＩＭがプロアクティブＳＡＴ（ＵＳＡＴ）コマンドを送出することを指示し、ＭＥはデータを取り込む。このコマンドはプロアクティブＵＩＣＣコマンドとも称され、ＳＡＴ（ＵＳＡＴ）コマンドである。
【００１８】
この実施例ではこのことは、ユーザが「ベルリン／ドイツの天気予報」項目をメニューから選択した後、ＵＩＣＣ／ＳＩＭが状態語「91 XX」によって応答し、ＳＡＴ（ＵＳＡＴ）コマンドが待機中であることを指示することを意味する。ＭＥはSEND MMコマンドを有するデータを取り込む（図２参照）。ＭＥはSEND MMコマンドの受け取りに基づいて、事前に定義されたアクションを実行する。すなわちＭＥは、SEND MMコマンドの情報に基づいてＭＭを作成し、このＭＭを、SEND MMコマンドで指示された受信者へ送信する。この場合、この受信者はＵＳＡＴサーバである。
【００１９】
SEND MMコマンドにより、ＵＩＣＣはＭＥに対し、該コマンドによって伝達された情報に基づきＭＭを作成してネットワークへ送信することを要求する。このSEND MMコマンドは、ＭＭＳユーザエージェントがＭＭを要求通りに作成して送信するために必要なすべての情報を含む。有利にはSEND MMコマンド（図１では参照記号ＳＭによって示されている）で供給されるこの情報は、以下に添付された表１に示されている。
【００２０】
表１：プロアクティブＵＩＣＣ「SEND MM」コマンドのコマンドパラメータ
【００２１】
【表１】
2004192613.tif 000003
【００２２】
【表２】
2004192613.tif 000004
【００２３】
【表３】
2004192613.tif 000005
【００２４】
実施例１ｂ
図１の前記実施例に示されているように、ユーザが（ドイツのベルリンの天気予報を含む）受信ＭＭをダウンロードしたいか否かを該ユーザに決定させる代わりに、本発明では、ユーザインタラクションが全く行われないＭＭのダウンロードも提供される。このことは図３に示されている。図３で連続番号１〜６によって示されたコマンドの機能は、上記で図１に関して説明したとおりである。ＭＭはＭＥによって既知のＭＭＳ動作に従い、たとえば直接的な取得（図３で連続番号７〜９によって示されたコマンドＭＮ，ＧＭ，ＭＲ）によって取得される。本発明のこの実施形態によれば、このＭＭは、それぞれインジケータである情報エレメントを有しており、これは「ＭＭＳベアラ」と称されている。この「ＭＭＳベアラ」情報エレメントは、たとえばフラグとすることができる。このフラグが（１）にセットされると、ＭＭＳがベアラサービスとして使用されていることを意味し、フラグが（０）にセットされると、ＭＭＳがベアラサービスとして使用されていないことを意味する。この「ＭＭＳベアラ」情報エレメントは、テレコミュニケーション装置、とりわけ端末ＭＥを終端とするのであれば、どのＭＭＳメッセージの一部であってもよい。このようなＭＭＳメッセージは、たとえばＭＭ、ＭＭＳ通知、ＭＭＳ受信リポートまたはＭＭＳ読み出し応答レポートである。この実施例では、ＭＭＳはＵＳＡＴに対するベアラサービスとして使用される。このことは、ＭＭＳユーザエージェントによって受信されたＭＭ内の「ＭＭＳベアラ」情報エレメントが（１）にセットされていることを意味する。端末ＭＥにあるＭＭＳユーザエージェントは「ＭＭＳベアラ」情報エレメントをチェックし、ＭＭＳがベアラとして使用されている（フラグが（１）にセットされている）ことを把握する。ＭＭＳユーザエージェントはＭＭをENVELOPE（DOWNLOAD MM）コマンドＤＯ（コマンドＤＯは、図３では連続番号１０によって示されている）により、スマートカードＳＣ上のＵＳＡＴへ送信する。その際には、ＭＭはユーザに対して表示されず、ユーザは警告されない。こうすることにより、ＭＭＳメッセージで搬送されたデータまたは該データの一部は、端末ＭＥからスマートカードＳＣへ伝送される。
【００２５】
オプションとして、ＵＩＣＣは付加的に、プロアクティブＵＩＣＣコマンド「DISPLAY MM」をＭＥへ送出する。このＭＭ（この場合、ベルリンの天気情報）内の情報によって、ＭＥはベルリンの天気予報をディスプレイに表示する。
【００２６】
この実施例における第１の有利なＵＳＡＴメカニズムは、ENVELOPE（DOWNLOAD MM）コマンドＤＯである。このコマンドは、ＭＭをＭＥからＵＩＣＣへダウンロードするために使用される（図３参照、コマンドＤＯは連続番号１０によって示されている）。
【００２７】
このENVELOPE（DOWNLOAD MM）コマンドＤＯは、有利には図２に示された以下の情報を含む。
【００２８】
表２：ENVELOPE（DOWNLOAD MM）コマンドのコマンドパラメータ
【００２９】
【表４】
2004192613.tif 000006
【００３０】
この実施例における第２の有利なＵＳＡＴメカニズムは、プロアクティブＵＩＣＣコマンド「DISPLAY MM」（図３では参照記号ＤＩによって示されている）である。ＭＭがＵＩＣＣへ、ＵＳＡＴダウンロードＭＭメカニズムを使用してダウンロードされると、ＵＳＡＴは状態語（「91 XX」）によって応答し、ＭＥに対して、新たなコマンドを取り込まなければならないことを指示する（図４参照）。前記新たなコマンドは、この場合DISPLAY MMである。ＭＥは、どのアクションを実行しなければならないかを把握し、ＭＭをテレコミュニケーション装置ＭＥのディスプレイ上に表示する。
【００３１】
このDISPLAY MMコマンドには、ＭＥがＭＭを表示するために必要な情報が含まれる。有利にはDISPLAY MMコマンドで供給される情報は、以下の表３に示されている。
【００３２】
表３：プロアクティブＵＩＣＣコマンド「DISPLAY MM」のコマンドパラメータ
【００３３】
【表５】
2004192613.tif 000007
【００３４】
実施例１ｃ
ユーザインタラクションを行わずにＭＭを取得するための別の手段が、図５の概略的な図を使用して以下に説明されている。図５で連続番号１〜６によって示されたコマンドの機能は、上記で図１の概略図に関して説明されたとおりである。ＭＥに存在するＭＭＳユーザエージェントは、ＭＭＳ通知をコマンドＭＮ（図５では、連続番号７によって示されている）を受信する。このＭＭＳ通知は、「ＭＭＳベアラ」情報エレメント（実施例１ｂを参照せよ）を含んでおり、この「ＭＭＳベアラ」情報エレメントは（１）にセットされている。すなわち、ＭＭＳはベアラサービスとして使用されている。ＭＥにあるＭＭＳユーザエージェントは、ＭＭＳ通知内の「ＭＭＳベアラ」情報エレメントをチェックし、ＭＭＳがベアラサービスとして使用されていることを把握する。ＭＭＳ通知内の情報またはＭＥの情報に基づいて、ＭＭＳユーザエージェントは、ＭＭＳ通知をＵＩＣＣ／ＵＳＡＴへダウンロードするか、またはＵＩＣＣ／ＵＳＡＴに対し、新たなＭＭＳ通知が到着したことを通知だけするかを決定する。この実施例ではＭＭＳユーザエージェントは、ＭＭＳ通知をＵＩＣＣ／ＵＳＡＴへコマンドＤＯＮ（図５では連続番号８によって示されている）によって直接転送する。すなわち、ＭＭＳ通知はＭＥからＵＩＣＣ／ＵＳＡＴへダウンロードされる。ＵＳＡＴこの通知をチェックし、ＭＭをダウンロードしなければならないか（ＵＳＡＴによるポジティブなチェック）、または拒否しなければならないか（ＵＳＡＴのネガティブなチェック）を決定する。ポジティブなチェックの後、ＵＳＡＴはＭＥ（ＭＭＳ ＵＡ）にＭＭのダウンロードを開始させる。その際、プロアクティブＵＩＣＣコマンドGET MMがＭＥへ送出される（図５で連続番号９によって示されているコマンドＧＯＫ）。ここでＭＥは、GET MMメッセージ（図５で連続番号１０によって示されたコマンドＧＭ）をＭＭＳリレー／サーバＲＳへ送信して、ダウンロードプロシージャを開始し、ＭＭＳリレー／サーバはＭＭをＭＥへ送信する（図５で連続番号１１によって示されているコマンドＭＲ）。ＭＥはDOWNLOAD MM／ENVELOPEプロシージャをDOWNLOAD MMコマンド（図５で連続番号１２によって示されているコマンドＤＯ）によって開始し、ＭＭをダウンロードする。このプロシージャが終了すると、ＵＩＣＣはプロアクティブＵＩＣＣコマンドDISPLAY MMをＭＥへ送出し（図５で連続番号１３によって示されているコマンドＤＩ）、ＭＥはベルリン／ドイツの天気予報のビデオを表示する。
【００３５】
ENVELOPE（DOWNLOAD MMS NOTIFICATION）コマンドＤＯＮは、この実施例における第１の有利なコマンドである。このコマンドは、ＭＭＳ通知をＭＥからＵＩＣＣへダウンロードするのに使用される（図５参照、コマンドＤＯＮ）。
【００３６】
ENVELOPE（DOWNLOAD MMS NOTIFICATION）コマンドは有利には、表４に示された以下の情報を含む。
【００３７】
表４：「ENVELOPE（DOWNLOAD MMS NOTIFICATION）」コマンドのコマンドパラメータ
【００３８】
【表６】
2004192613.tif 000008
【００３９】
この実施例における第２の有利なＵＳＡＴメカニズムは、プロアクティブＵＩＣＣコマンド「GET MM」である。このコマンドは、図５では参照記号ＧＯＫによって示されている。ＭＭＳ通知がダウンロードされ、ＵＳＡＴによるポジティブな通知チェックが終了すると、ＵＳＡＴは状態語「91 XX」によって、新たなコマンドが待機中であることを指示する。この場合、前記新たなコマンドは「GET MM」である（図６参照）。ＭＥはデータを取り込むと、どのアクションを実行すべきかを把握し、ＭＭ取得の要求をＭＭＳリレー／サーバＲＳへ送信する。
【００４０】
この「GET MM」コマンドは、ＭＥがＭＭ取得の要求をＭＭＳリレー／サーバＲＳへ送信するために必要な情報を含む。有利には「GET MM」コマンドＧＯＫで供給される情報は、以下の図５に示されている。
【００４１】
表５：プロアクティブＵＩＣＣコマンド「GET MM」のコマンドパラメータ
【００４２】
【表７】
2004192613.tif 000009
【００４３】
実施例２
オペレータＸは加入ユーザに対し、ユーザが映画のプレビューを見て、映画を映画館において移動端末機器によって予約するためのＵＳＡＴアプリケーションを提供する。この実施例では、どのようにしてＭＭＳがベアラとしてＵＳＡＴによって使用され、映画のプレビューが得られるかが説明される。
【００４４】
実施例２ａ
ユーザＹは、今日映画館に行きたいので、映画予約アプリケーションを移動端末機器で起動し、今日面白い映画があるか否かを調べる。その際、ユーザＹは映画のリストから、映画Ａを選択する（図７において連続番号２によって示されているコマンドＵＳ）。ＵＳＡＴは、プロアクティブＵＩＣＣコマンドSEND MMをＭＥへ送出する（図７において連続番号３によって示されているコマンドＳＭ）。このメッセージは、ＭＥがＭＭをＵＳＡＴサーバＵＳへ送出して映画Ａのプレビューを得るために必要な情報を含む。SEND MMコマンドに含まれる情報により、ＭＥに存在するＭＭＳ ＵＡは、ＭＭを作成してＭＭＳリレー／サーバＲＳへ、コマンドＭＳ（図７において連続番号４によって示されている）によって送信する。ＭＭＳリレー／サーバＲＳは、このＭＭをＵＳＡＴサーバ（またはＶＡＳサーバ）ＵＳへ、コマンドＧＩ（図７において連続番号５によって示されている）によって転送する。ＵＳＡＴサーバＵＳはＭＭを読み出し、ユーザが映画Ａのプレビューを要求していると判断する。ＵＳＡＴサーバＵＳはＭＭを作成し、映画のプレビューを有する付属物を該ＭＭに挿入し、ＭＭＳリレー／サーバへコマンドＩＮ（図７において連続番号７によって示されている）によって送信する。ＭＭＳリレー／サーバＲＳは、通知をＭＥへコマンドＭＮ（図７において連続番号７によって示されている）によって送信する。ＭＭＳ通知内の情報またはＭＥに記憶された情報に基づいて、ＭＥは、ＭＭＳをＵＩＣＣ／ＵＳＡＴへダウンロードするか、またはＵＩＣＣ／ＵＳＡＴに対し、新たなＭＭＳ通知が到着したことを通知だけするかを決定する。この実施例では、ＭＥはUICC MM通知をＵＩＣＣへ、コマンドＵＭＮ（図７において連続番号８によって示されている）によって送信し、ＵＩＣＣに対して、ＭＭがＭＥに到着したことを通知することを決定する。このコマンドの内容（たとえば付属物のタイプ、サイズ、ヘッダ等）に基づき、ＵＳＡＴはどの内容をダウンロードすべきかを決定し、コマンドGET MM ATTACHMENT REQUEST（図７において連続番号９によって示されているＧＡＲ）をＭＥへ送出し、必要なＭＭ付属物をダウンロードすることを要求する。この実施例では、付属物「映画Ａのプレビュー」をダウンロードすることが要求される。ＭＥはこの付属物を、ENVELOPE（DOWNLOAD MMS ATTACHMENT）コマンド（図７において連続番号１０によって示されているコマンドＤＯＡ）を送出することによってダウンロードする。付属物をダウンロードした後、ＵＳＡＴはDISPLAY MMS ATTACHMENTコマンド（図７において連続番号１１によって示されているコマンドＤＩＡ）をＭＥへ送出し、該付属物をユーザに対して表示することができる。この実施例では、映画Ａのプレビューがユーザに対して表示される。
【００４５】
この実施例における第１の有利なＵＳＡＴメカニズムは、UICC MM NOTIFICATIONコマンドＵＭＮである。このコマンドＵＭＮはＭＥによって使用され、ＭＥはＵＩＣＣに対し、新たなＭＭがＭＥに到着したことを報告する（図７参照、コマンドＵＭＮ）。
【００４６】
このUICC MM NOTIFICATIONコマンドは、有利には表６に示された次のような情報を含む。
【００４７】
表６：「UICC MM NOTIFICATION」コマンドのコマンドパラメータ
【００４８】
【表８】
2004192613.tif 000010
【００４９】
この実施例における第２の有利なＵＳＡＴメカニズムは、プロアクティブＵＩＣＣコマンド「GET MM ATTACHMENT REQUEST」である。ＵＳＡＴがUICC MM NOTIFICATIONコマンドを受信し、１つまたは複数の付属物をダウンロードすることを決定すると、ＵＳＡＴは状態語「91 XX」により、新たなプロアクティブＵＩＣＣコマンドが待機中であることを指示する（図８参照）。この新たなプロアクティブＵＩＣＣコマンドは、この場合「GET MM ATTACHMENT REQUEST」である。ＭＥはデータを取り込み、どのアクションを実行すべきかを把握し、ＭＭをディスプレイ上に表示する。
【００５０】
このGET MM ATTACHMENT REQUESTコマンドは、ＭＥが必要な付属物を要求するために必要とする情報を含む。有利にはGET MM ATTACHMENT REQUESTコマンドで供給される情報は、以下の表７に示されている。
【００５１】
表７：プロアクティブＵＩＣＣコマンド「GET MM ATTACHMENT REQUEST」のコマンドパラメータ
【００５２】
【表９】
2004192613.tif 000011
【００５３】
この実施例における第３の有利なＵＳＡＴメカニズムは、ENVELOPE（DOWNLOAD MMS ATTACHMENT）コマンドである。このコマンドは、ＭＭをＭＥからＵＩＣＣへダウンロードするために使用される（図７参照、コマンドＤＯＡ）。
【００５４】
ENVELOPE（DOWNLOAD MMS ATTACHMENT）コマンドは有利には、表８に示された以下の情報を含む。
【００５５】
表８：「ENVELOPE（DOWNLOAD MMS ATTACHMENT）」コマンドのコマンドパラメータ
【００５６】
【表１０】
2004192613.tif 000012
【００５７】
この実施例における最後の有利なＵＳＡＴメカニズムは、プロアクティブＵＩＣＣコマンド「DISPLAY MMS ATTACHMENT」である。DOWNLOAD MMS ATTACHMENTメカニズムを使用することによりＭＭＳがＵＩＣＣへダウンロードされると、ＵＳＡＴは、新たなプロアクティブＵＩＣＣコマンドが待機中であることを指示する。この場合前記新たなプロアクティブＵＩＣＣコマンドは、「DISPLAY MMS ATTACHMENT」である（図９参照）。ＭＥはデータを取り込み、どのアクションを実行すべきかを把握し、ＭＭをディスプレイ上に表示する。
【００５８】
このDISPLAY MMS ATTACHMENTコマンドは、ＭＥがＭＭ付属物を表示するために必要な情報を含む。有利にはDISPLAY MMS ATTACHMENTコマンドによって供給される情報は、以下の表９に示されている。
【００５９】
表９：プロアクティブＵＩＣＣコマンド「DISPLAY MMS ATTACHMENT」のコマンドパラメータ
【００６０】
【表１１】
2004192613.tif 000013
【００６１】
実施例２ｂ
ＭＭＳ付属物をダウンロードする代わりに、ＭＭＳ付属物へのリンクをダウンロードすることも可能である。このことについては、図１０とともに以下に記載されている。図１０において連続番号１〜８によって示されているコマンドの機能は、上記で図７の実施例２ａに関して説明されたのと同じである。ＭＭ付属物を要求する代わりにＵＳＡＴはＭＥに対して、ＭＭ付属物を該ＭＥに記憶し、該付属物へのリンクをＵＩＣＣへ送出するように要求することもできる。このことは、プロアクティブＵＩＣＣコマンド「MM TERMINAL STORAGE MESSAGE」（図１０で連続番号９によって示されたコマンドＴＳ）をＵＳＡＴからＭＥへ送出することによって実施することができる。このコマンドはＭＥに対し、ＭＭ付属物を記憶すべきであると指示する。ＭＥは該付属物へのリンクを、ENVELOPE（DOWNLOAD MMS LINK）コマンド（図１０で連続番号１０によって示されているコマンドＤＭＬ）によってＵＩＣＣへ送出する。
【００６２】
２つの有利なＵＳＡＴコマンド／メカニズムがこの実施例で提供される。第１の新たなコマンドは、プロアクティブＵＩＣＣコマンド「MM TERMINAL STORAGE MESSAGE」である。このコマンドは、ＭＥがＭＭ付属物を該ＭＥに記憶し、この付属物へのリンクを送出し返すために必要な情報から成る。ＵＩＣＣに対して、ＭＭがＭＥに到着したことが通知されると、ＵＳＡＴは状態語「91 XX」により、新たなプロアクティブＵＩＣＣコマンドが待機中であることを指示する。前記新たなプロアクティブＵＩＣＣコマンドは、この場合「MM TERMINAL STORAGE MESSAGE」である（図１１参照）。ＭＥはデータを取り込み、どのアクションを実行すべきかを把握し、ＭＭ付属物を該ＭＥに記憶し、リンクをＵＩＣＣへ送出する。
【００６３】
有利にはMM TERMINAL STORAGEコマンドで供給される情報は、以下の表１０に示されている。
【００６４】
表１０：プロアクティブＵＩＣＣコマンド「MM TERMINAL STORAGE MESSAGE」のコマンドパラメータ
【００６５】
【表１２】
2004192613.tif 000014
【００６６】
この実施例における第２の有利なＵＳＡＴメカニズムは、ENVELOPE（DOWNLOAD MMS LINK）コマンドである。このコマンドは、ＭＭＳリンクをＭＥからＵＩＣＣへダウンロードするために使用される（図１０参照、コマンドＤＭＬ）。
【００６７】
有利にはENVELOPE（DOWNLOAD MM）コマンドは、表１１に示された以下の情報を含む。
【００６８】
【表１３】
2004192613.tif 000015
【００６９】
実施例３
ＭＭＳをＵＳＡＴに対するベアラサービスとして使用するために複数の異なるＵＳＡＴコマンドを設ける代わりに、これらのコマンドのうち幾つかを組み合わせると有利である。
【００７０】
ＭＭＳ情報をダウンロードするために使用されるENVELOPE（DOWNLOAD MMS）コマンドを、ENVELOPE（DOWNLOAD MM）コマンド、ENVELOPE（DOWNLOAD MMS NOTIFICATION）コマンド、ENVELOPE（DOWNLOAD MMS ATTACHMENT）コマンドおよびENVELOPE（DOWNLOAD MMS LINK）コマンドの代わりに使用することができる。このENVELOPE（DOWNLOAD MMS）コマンドは有利には、表１２に示された以下の情報を含む。
【００７１】
表１２：「ENVELOPE（DOWNLOAD MMS）」コマンドのコマンドパラメータ
【００７２】
【表１４】
2004192613.tif 000016
【００７３】
【表１５】
2004192613.tif 000017
【００７４】
同様に、「DISPLAY MM」コマンドおよび「DISPLAY MMS ATTACHMENT」を組み合わせて、１つのコマンド「DISPLAY MMS」にすることができる。この「DISPLAY MMS」コマンドは有利には、図１３に示された以下の情報を含む。
【００７５】
表１３：プロアクティブＵＩＣＣコマンド「DISPLAY MMS」のコマンドパラメータ
【００７６】
【表１６】
2004192613.tif 000018
【００７７】
【表１７】
2004192613.tif 000019
【００７８】
本発明による上記のこの制御原理では、オペレータがノンリアルタイムＭＭＳを使用して、スマートカードに存在する特許保護下の（オペレータ定義）ＳＡＴ（ＵＳＡＴ）アプリケーションからのデータ伝送および該特許保護下の（オペレータ定義）ＳＡＴ（ＵＳＡＴ）アプリケーションへのデータ伝送を行うことができる。このスマートカードは、テレコミュニケーション装置とりわけモバイル装置にプラグインされているか、または結合されている。また、こうすることによりオペレータは、ＳＡＴ（ＵＳＡＴ）アプリケーションに由来するマルチメディア内容を使用することができる。このマルチメディア内容は、従来はテキストおよびアイコンに制限されていた。マルチメディアメッセージングサービスをＳＡＴ（ＵＳＡＴ）に対する伝送メカニズムとして使用するため、有利には上記のＳＡＴ／ＵＳＡＴコマンド／メカニズムが提供されている。したがって現在では、ＭＭＳがＣＡＴ／ＳＡＴ／ＵＳＡＴに対するベアラサービスとして使用される場合、オペレータがノンリアルタイムＭＭＳを使用して、モバイル装置内のスマートカードからのデータ伝送および該スマートカードへのデータ伝送を行うため、すなわちＭＭＳまたはＭＭＳ内容を処理するため、機能（たとえばＣＡＴ／ＳＡＴ／ＵＳＡＴコマンド、ＣＡＴ／ＳＡＴ／ＵＳＡＴメカニズム）が使用される。
【００７９】
これらすべてを要約すると、ノンリアルタイムＭＭＳを使用して、テレコミュニケーション装置とりわけモバイル装置内のスマートカードへのデータ伝送および該スマートカードからのデータ伝送を実行するため、オペレータに対する機能が提供されており、マルチメディアデータの表示方法が発明されている。これについては詳細に説明される。スマートカードと該テレコミュニケーション装置との間の前記新たなコマンド／メカニズムが提供されることにより、該スマートカード（モバイル装置に挿入されている）で実行される（オペレータ定義）アプリケーションはモバイル装置に対し、ＭＭＳ固有機能（モバイル装置で実行される）を実行するように要求することができる。たとえば、このことによって、ＳＡＴ（ＵＳＡＴ）はＭＭＳをベアラサービスとして扱うことができる。提供されたＳＡＴ（ＵＳＡＴ）メカニズムおよびＳＡＴ（ＵＳＡＴ）コマンドの利点は、該ＳＡＴ（ＵＳＡＴ）メカニズムおよびＳＡＴ（ＵＳＡＴ）コマンドを、ユーザが特定の時点で使用する特定のモバイル装置（つまり移動電話機）に依存せずに使用できることである。ＳＡＴ（ＵＳＡＴ）機能は、ＵＩＣＣにあるＳＩＭまたはＵＳＩＭ上で処理される。このＵＩＣＣは、テレコミュニケーション装置、とりわけモバイル装置、または端末に接続または結合された装置に挿入される。
【００８０】
さらに上記ＳＡＴ（ＵＳＡＴ）メカニズムおよびＳＡＴ（ＵＳＡＴ）コマンドは、有利には特定のオペレータまたはＵＩＣＣ／ＳＩＭカード製造者に依存しない。このことは、サードパーティアプリケーション開発者が、プラットフォームに依存しない前記ＳＡＴ（ＵＳＡＴ）メカニズムに基づいてアプリケーションを作成し、このアプリケーションをどのオペレータおよび／またはどのＵＩＣＣ／ＳＩＭカード製造者にも販売できることを意味する。このアプリケーションは、本発明で提供されたＳＡＴ（ＵＳＡＴ）メカニズムおよびＳＡＴ（ＵＳＡＴ）コマンドを使用することができる。
【００８１】
本発明の有利なステップは、とりわけ以下のものである。
●ＭＭＳがＣＡＴ、ＳＡＴまたはＵＳＡＴに対するベアラサービスとして使用される場合、ＭＭＳまたはＭＭＳ内容を処理するために使用されるＣＡＴコマンド／メカニズム、ＳＡＴコマンド／メカニズム、ＵＳＡＴコマンド／メカニズム。
●新たなＣＡＴ機能、ＳＡＴ機能、ＵＳＡＴ機能：
○ＭＥに対して、ＭＭＳ機能を提供するように要求するＵＩＣＣ／ＳＩＭ：
・ＵＩＣＣ／ＳＩＭはＭＥに存在するＭＭＳユーザエージェントに対し、SEND MM コマンド内の情報によって、ＭＭを作成するように要求する。
【００８２】
・ＵＩＣＣ／ＳＩＭはＭＥに対し、DISPLAY MMコマンド内の情報によって、ＭＭをモバイル装置のディスプレイ上に表示するように要求する。
【００８３】
・ＵＩＣＣ／ＳＩＭはＭＥに対し、DISPLAY MMコマンド内の情報によって、ＭＭＳリレー／サーバからＭＭをダウンロードするように要求する。
【００８４】
・ＵＩＣＣ／ＳＩＭはＭＥに対し、GET MM ATTACHMENT REQUESTコマンド中の情報によって、ＭＭ付属物を該ＭＥからＵＩＣＣ／ＳＩＭへダウンロードするように要求する。
【００８５】
・ＵＩＣＣ／ＳＩＭはＭＥに対し、DISPLAY MMS ATTACHMENTコマンド中の情報によって、ＭＭ付属物を表示するように要求する。
【００８６】
・ＵＩＣＣ／ＳＩＭはＭＥに対し、MM TERMINAL STORAGE MESSAGEコマンド内の情報によって、ＭＭを端末に記憶するように要求する。
【００８７】
○ＭＭＳを介して伝送されたデータをＭＥからＵＩＣＣ／ＳＩＭへ伝送する端末：
・ＭＥはＭＭを、ＭＥからＵＩＣＣ／ＳＩＭへダウンロードする。
【００８８】
・ＭＥはＭＭＳ通知を、ＭＥからＵＩＣＣ／ＳＩＭへダウンロードする。
【００８９】
・ＭＥはＭＭまたはＭＭＳ付属物へのリンクを、ＭＥからＵＩＣＣ／ＳＩＭへダウンロードする。
【００９０】
・ＭＥはＵＩＣＣ／ＳＩＭに対し、新たなＭＭがＭＥに到着したことを通知する。
●上記新たなＣＡＴ機能、ＳＡＴ機能、ＵＳＡＴ機能のための有利な変形実施形態／択一的実施形態
●ＭＭＳのための新たなＳＡＴ（ＵＳＡＴ）コマンドおよびＳＡＴ（ＵＳＡＴ）メカニズム
○添付された表１４による、ＵＩＣＣ／ＳＩＭからＭＥへ送出されるコマンド。
【００９１】
○添付された表１５による、ＭＥからＵＩＣＣ／ＳＩＭへ送出されるコマンド。
●ＭＭＳ情報をＭＥからＵＩＣＣ／ＳＩＭへダウンロードするための１つの汎用的なコマンドを有するための手段
○添付された表１６に示された汎用的なDOWNLOAD MMSコマンド。
【００９２】
○ＭＥからＵＩＣＣ／ＳＩＭへのＭＭＳ情報を表示するための１つの汎用的なコマンドを有するための手段。添付された表１７に示された汎用的なDOWNLOAD MMSコマンド。
【００９３】
表１４：ＵＩＣＣ／ＳＩＭからＭＥへ送出されるコマンド
【００９４】
【表１８】
2004192613.tif 000020
【００９５】
【表１９】
2004192613.tif 000021
【００９６】
表１５：ＭＥからＵＩＣＣ／ＳＩＭへ送出されるコマンド
【００９７】
【表２０】
2004192613.tif 000022
【００９８】
【表２１】
2004192613.tif 000023
【００９９】
表１６：汎用的なDOWNLOAD MMSコマンド
【０１００】
【表２２】
2004192613.tif 000024
【０１０１】
表１７：汎用的なDISPLAY MMSコマンド
【０１０２】
【表２３】
2004192613.tif 000025
【図面の簡単な説明】
【０１０３】
【図１】本発明の第１の実施形態により、各マルチメディアメッセージの作成および送信をテレコミュニケーション装置においてスマートカードによって制御するためのスマートカードと、テレコミュニケーション装置と、テレコミュニケーションネットワークのコンポーネントとの間を示す第１の概略図である。
【０１０４】
【図２】図１の概略図の詳細として、スマートカードからテレコミュニケーション装置へ「send MMコマンド」を送出し、該テレコミュニケーション装置に対して各マルチメディアメッセージの作成およびネットワークへの該マルチメディアメッセージの送信をイネーブルするための、スマートカードとテレコミュニケーション装置との間のコマンドのインタラクションを示している。
【０１０５】
【図３】本発明の第２の実施形態により、テレコミュニケーションネットワークからテレコミュニケーション装置を介してスマートカードへの各マルチメディアメッセージの取得を制御するための、図１のスマートカードと、テレコミュニケーション装置と、テレコミュニケーションネットワークのコンポーネントとの間を示す第２の概略図である。
【０１０６】
【図４】図３の概略図の詳細として、スマートカードからテレコミュニケーション装置へ「display MMコマンド」を送出し、予めネットワークからスマートカードへダウンロードされた各マルチメディアメッセージの表示をテレコミュニケーション装置に開始させるための、スマートカードとテレコミュニケーション装置との間のコマンドのインタラクションを示している。
【０１０７】
【図５】テレコミュニケーションネットワークによってテレコミュニケーション装置へ送信され、有利には取得スタンバイ状態のネットワーク内のマルチメディアメッセージの規定を指示する、テレコミュニケーションネットワークからスマートカードへの各マルチメディアメッセージ通知の取得を制御するための図１のスマートカードと、テレコミュニケーション装置と、テレコミュニケーションネットワークのコンポーネントとの間の第３の概略図を示している。
【０１０８】
【図６】図５の概略図の詳細として、スマートカードからテレコミュニケーション装置へ「get MMコマンド」を送出し、通知された各マルチメディアメッセージのネットワークからの取得、およびスマートカードへの該マルチメディアメッセージのダウンロードをテレコミュニケーション装置に開始させるための、スマートカードとテレコミュニケーション装置との間のコマンドのインタラクションを示している。
【０１０９】
【図７】テレコミュニケーションネットワークからスマートカードへの各マルチメディアメッセージ通知の付属物の取得を制御するための、図１のスマートカードと、テレコミュニケーション装置と、テレコミュニケーションネットワークのコンポーネントとの間を示す別の概略図である。
【０１１０】
【図８】図７の概略図の詳細として、スマートカードからテレコミュニケーション装置へ「get MM attachmentコマンド」を送出し、ネットワークから各マルチメディアメッセージの付属物の取得、スマートカードへの該付属物のダウンロードおよび／または付属物の表示をテレコミュニケーション装置に開始させるための、スマートカードとテレコミュニケーション装置との間のインタラクションを示している。
【０１１１】
【図９】図７の概略図の詳細として、スマートカードからテレコミュニケーション装置へ「get MM attachmentコマンド」を送出し、ネットワークから各マルチメディアメッセージの付属物の取得、スマートカードへの該付属物のダウンロードおよび／または付属物の表示をテレコミュニケーション装置に開始させるための、スマートカードとテレコミュニケーション装置との間のインタラクションを示している。
【０１１２】
【図１０】テレコミュニケーションネットワークからスマートカードへの各マルチメディアメッセージに対するリファレンスまたはリンクの取得を制御するための、図１のスマートカードと、テレコミュニケーション装置と、テレコミュニケーションネットワークのコンポーネントとの間を示す別の概略図である。
【０１１３】
【図１１】図１０の概略図の詳細として、「MM terminal storageコマンド」をスマートカードからテレコミュニケーション装置へ送出し、ネットワークからの各マルチメディアメッセージのリンクの取得、スマートカードへの該リンクのダウンロード、および／または該リンクまたはリンクされた付属物の表示をテレコミュニケーション装置に開始させるための、スマートカードとテレコミュニケーション装置との間のコマンドのインタラクションを示している。
【図１】
2004192613.tif 000026
【図２】
2004192613.tif 000027
【図３】
2004192613.tif 000028
【図４】
2004192613.tif 000029
【図５】
2004192613.tif 000030
【図６】
2004192613.tif 000031
【図７】
2004192613.tif 000032
【図８】
2004192613.tif 000033
【図９】
2004192613.tif 000034
【図１０】
2004192613.tif 000035
【図１１】
2004192613.tif 000036
【外国語明細書】
2004192613.tif 000037
2004192613.tif 000038
2004192613.tif 000039
2004192613.tif 000040
2004192613.tif 000041
2004192613.tif 000042
2004192613.tif 000043
2004192613.tif 000044
2004192613.tif 000045
2004192613.tif 000046
2004192613.tif 000047
2004192613.tif 000048
2004192613.tif 000049
2004192613.tif 000050
2004192613.tif 000051
2004192613.tif 000052
2004192613.tif 000053
2004192613.tif 000054
2004192613.tif 000055
2004192613.tif 000056
2004192613.tif 000057
2004192613.tif 000058
2004192613.tif 000059
2004192613.tif 000060
2004192613.tif 000061
2004192613.tif 000062
2004192613.tif 000063
2004192613.tif 000064
2004192613.tif 000065
2004192613.tif 000066
2004192613.tif 000067
2004192613.tif 000068
2004192613.tif 000069
2004192613.tif 000070
2004192613.tif 000071
2004192613.tif 000072
2004192613.tif 000073
2004192613.tif 000074
2004192613.tif 000075
2004192613.tif 000076
2004192613.tif 000077
2004192613.tif 000078
2004192613.tif 000079
2004192613.tif 000080
2004192613.tif 000081
2004192613.tif 000082
2004192613.tif 000083
2004192613.tif 000084
2004192613.tif 000085
2004192613.tif 000086
2004192613.tif 000087
2004192613.tif 000088
2004192613.tif 000089
2004192613.tif 000090
2004192613.tif 000091
2004192613.tif 000092
2004192613.tif 000093
2004192613.tif 000094
2004192613.tif 000095
2004192613.tif 000096
2004192613.tif 000097
2004192613.tif 000098
2004192613.tif 000099
2004192613.tif 000100
2004192613.tif 000101
2004192613.tif 000102
2004192613.tif 000103